【手続補正書】
【提出日】平成17年2月4日(2005.2.4)
【手続補正１】
【補正対象書類名】明細書
【補正対象項目名】発明の名称
【補正方法】変更
【補正の内容】
【発明の名称】情報処理装置、その制御方法、プログラム及び記録媒体
【手続補正２】
【補正対象書類名】明細書
【補正対象項目名】特許請求の範囲
【補正方法】変更
【補正の内容】
【特許請求の範囲】
【請求項１】
キャビネット機能の利用を認証付きで提供する機能提供側にアクセス可能な情報処理装置であって、
初期認証情報を入力する入力手段と、
前記入力された初期認証情報を用いて初期認証が成功した場合、前記入力された初期認証情報を保持する保持手段と、
前記保持された初期認証情報を用いて、前記キャビネット機能の利用のための認証情報を取得する取得手段とを有することを特徴とする情報処理装置。
【請求項２】
前記取得手段は、前記保持された認証情報を用いて、暗号化された前記キャビネット機能の利用のための認証情報を復号することを特徴とする請求項１に記載の情報処理装置。
【請求項３】
前記取得手段は、ユーザ情報、及びアクセス対象とするキャビネット情報に基づいて、前記キャビネット機能の利用のための認証情報を取得することを特徴とする請求項１又は２に記載の情報処理装置。
【請求項４】
さらに、前記取得手段により取得された前記キャビネット機能の利用のための認証情報を用いて、前記キャビネットの利用の許可を判定する判定手段とを有することを特徴とする請求項１〜３の何れか１項に記載の情報処理装置。
【請求項５】
キャビネット機能の利用を認証付きで提供する機能提供側にアクセス可能な情報処理装置の制御方法であって、
初期認証情報を入力する入力工程と、
前記入力された初期認証情報を用いて初期認証が成功した場合、前記入力された初期認証情報を保持する保持工程と、
前記保持された初期認証情報を用いて、前記キャビネット機能の利用のための認証情報を取得する取得工程とを含むことを特徴とする制御方法。
【請求項６】
前記取得工程は、前記保持された認証情報を用いて、暗号化された前記キャビネット機能の利用のための認証情報を復号することを特徴とする請求項５に記載の制御方法。
【請求項７】
請求項１〜４の何れか１項に記載の情報処理装置の機能をコンピュータに実現させるためのプログラム。
【請求項８】
請求項７に記載のプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、例えば、キャビネット毎にユーザパスワードを設定可能なセキュリティ機能を有するアプリケーションや、オペレーティングシステム或いは装置のユーザ認証機能に用いられる、情報処理装置、その制御方法、プログラム及び記録媒体に関するものである。
【手続補正４】
【補正対象書類名】明細書
【補正対象項目名】０００９
【補正方法】変更
【補正の内容】
【０００９】
そこで、本発明は、上記の欠点を除去するために成されたもので、データの機密性を保証しながら、なお且つユーザの認証情報の入力作業等を簡素化することで利便性を向上せしめるのに好適な、情報処理装置、その制御方法、プログラム及び記録媒体を提供することを目的とする。
また、加えて他の目的として、ユーザのネットワーク環境における既存の認証機能を有する装置或いはシステムと連携した、シングルサインオン技術を用いた機能（シングルサインオン機能）を提供する構成を提供する。
【手続補正５】
【補正対象書類名】明細書
【補正対象項目名】００１０
【補正方法】変更
【補正の内容】
【００１０】
【課題を解決するための手段】
本発明の情報処理装置は、キャビネット機能の利用を認証付きで提供する機能提供側にアクセス可能な情報処理装置であって、初期認証情報を入力する入力手段と、前記入力された初期認証情報を用いて初期認証が成功した場合、前記入力された初期認証情報を保持する保持手段と、前記保持された初期認証情報を用いて、前記キャビネット機能の利用のための認証情報を取得する取得手段とを有することを特徴とする。
本発明の情報処理装置の制御方法は、キャビネット機能の利用を認証付きで提供する機能提供側にアクセス可能な情報処理装置の制御方法であって、初期認証情報を入力する入力工程と、前記入力された初期認証情報を用いて初期認証が成功した場合、前記入力された初期認証情報を保持する保持工程と、前記保持された初期認証情報を用いて、前記キャビネット機能の利用のための認証情報を取得する取得工程とを含むことを特徴とする。
本発明のプログラムは、前記情報処理装置の機能をコンピュータに実現させることを特徴とする。
本発明のコンピュータ読み取り可能な記録媒体は、前記プログラムを記録したことを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００５０
【補正方法】変更
【補正の内容】
【００５０】
ここで、上記図１では、その実線部分に示すように、ユーザコンピュータ１１３、ファイルシステム１１１、及び記憶装置１１２が、ディジタル複合機１１０に含まれる構成を示している。これは、ユーザコンピュータ１１３、ファイルシステム１１１、及び記憶装置１１２のそれぞれが、単独の実体として存在する構成に限られるものではなく、ユーザコンピュータ１１３、ファイルシステム１１１、及び記憶装置１１２のそれぞれが機能部分として存在し、実線で示す部分全体が一体の装置或いはシステムとして構成された場合の実施の形態を例示するものである。
この場合、ファイルシステム１１１及び記憶装置１１２は、本発明の構成手段における機能提供コンピュータ手段に相当し、また、ユーザコンピュータ１１３は、本発明の構成手段におけるユーザコンピュータ手段に相当する。